(57)【要約】【課題】ＤＶＤ等の記録媒体に記録されたコンテンツデータを、利用者毎に異なった設定に基づいて再生が行えるようにすることである。【解決手段】複数の登録利用者によって共有され、各登録利用者毎にＸＭＬ利用者機器設定情報ファイルＡ５２が記録された記録媒体Ａからコンテンツデータを再生する場合、当該コンテンツデータを再生しようとする利用者により入力された利用者ＩＤ若しくは利用者ＩＤ及びパスワードが、記録媒体Ａに記録されているか否かを判定し、記録されている場合、当該登録利用者のＸＭＬ利用者機器設定情報ファイルＡ５２に記録されたコンテンツデータのカテゴリー毎の利用者機器設定に基づいて再生処理を行う。【選択図】          図１
2004265470.tif 000002
【特許請求の範囲】
【請求項１】
コンテンツデータを再生する再生装置において、
入力された複数のコンテンツデータのデータ内容と、当該複数のコンテンツデータと共に入力され、自装置に対する機器設定が利用者識別情報に関連付けて記録された利用者機器設定情報の内容とを読み取る読取部と、
予め入力された利用者識別情報に合致する利用者機器設定情報を前記読取部により読み取られた利用者機器設定情報の中から抽出し、当該抽出された利用者機器設定情報に記録された機器設定に基づいて自装置を動作するよう制御する制御部と、
を備えたことを特徴とする再生装置。
【請求項２】
前記制御部は、
前記予め入力された利用者識別情報に合致する利用者機器設定情報が前記読取部により読み取られた利用者機器設定情報の中にない場合、自装置に対するデフォルトの機器設定に基づいて自装置を動作するよう制御することを特徴とする請求項１に記載の再生装置。
【請求項３】
前記制御部は、
前記予め入力された利用者識別情報に合致する利用者機器設定情報が前記読取部により読み取られた利用者機器設定情報の中にない場合、前記コンテンツデータの再生を行わない旨を報知するよう制御することを特徴とする請求項１に記載の再生装置。
【請求項４】
前記読取部は、
利用者を識別する利用者ＩＤを含む利用者識別情報に関連付けて記録された利用者機器設定情報の内容を読み取り、
前記制御部は、
予め入力された前記利用者ＩＤを含む利用者識別情報に合致する利用者機器設定情報を、前記読取部により読み取られた利用者機器設定情報の中から抽出することを特徴とする請求項１〜３のうち何れか一項に記載の再生装置。
【請求項５】
前記読取部は、
パスワードを含む利用者識別情報に関連付けて記録された利用者機器設定情報の内容を読み取り、
前記制御部は、
予め入力された前記パスワードを含む利用者識別情報に合致する利用者機器設定情報を、前記読取部により読み取られた利用者機器設定情報の中から抽出することを特徴とする請求項１〜３のうち何れか一項に記載の再生装置。
【請求項６】
前記読取部は、
利用者識別情報が記録された認証用記録媒体から該利用者識別情報を読み取り、
前記制御部は、
前記認証用記録媒体から前記読取部により予め読み取られた利用者識別情報に合致する利用者機器設定情報を、前記読取部により読み取られた利用者機器設定情報の中から抽出することを特徴とする請求項１〜３のうち何れか一項に記載の再生装置。
【請求項７】
前記利用者識別情報を入力する入力部を備えたことを特徴とする請求項１〜６のうち何れか一項に記載の再生装置。
【請求項８】
データを無線送信するリモコン装置から送信された該データを受信するリモコン受信部を備え、
前記制御部は、
前記リモコン装置から送信され前記リモコン受信部により予め受信された前記利用者識別情報に合致する利用者機器設定情報を、前記読取部により読み取られた利用者機器設定情報の中から抽出することを特徴とする請求項１〜６のうち何れか一項に記載の再生装置。
【請求項９】
前記読取部は、
入力された複数のコンテンツデータのデータ内容と、当該複数のコンテンツデータと共に入力され、該コンテンツデータの再生動作に係る機器設定が利用者識別情報に関連付けて記録された利用者機器設定情報の内容とを読み取り、
前記制御部は、
前記予め入力された利用者識別情報に合致する利用者機器設定情報を前記読取部により読み取られた利用者機器設定情報の中から抽出し、当該抽出された利用者機器設定情報に記録された機器設定に基づいて前記コンテンツデータの再生を行うよう制御することを特徴とする請求項１〜８のうち何れか一項に記載の再生装置。
【請求項１０】
前記読取部は、
入力された複数のコンテンツデータのデータ内容と、当該複数のコンテンツデータと共に入力され、該コンテンツデータの再生順序に係る機器設定が利用者識別情報に関連付けて記録された利用者機器設定情報の内容とを読み取り、
前記制御部は、
前記予め入力された利用者識別情報に合致する利用者機器設定情報を前記読取部により読み取られた利用者機器設定情報の中から抽出し、当該抽出された利用者機器設定情報に記録された再生順序に基づいて前記コンテンツデータの再生を行うよう制御することを特徴とする請求項１〜８のうち何れか一項に記載の再生装置。
【請求項１１】
データを表示するディスプレイを備え、
前記読取部は、
入力された複数のコンテンツデータのデータ内容と、当該複数のコンテンツデータと共に入力され、前記ディスプレイの表示形式に係る機器設定が利用者識別情報に関連付けて記録された利用者機器設定情報の内容とを読み取り、
前記制御部は、
前記予め入力された利用者識別情報に合致する利用者機器設定情報を前記読取部により読み取られた利用者機器設定情報の中から抽出し、当該抽出された利用者機器設定情報に記録された前記表示形式に基づいて前記ディスプレイ表示を制御することを特徴とする請求項１〜８のうち何れか一項に記載の再生装置。
【請求項１２】
前記制御部は、
暗号化されたコンテンツデータ及び利用者機器設定情報の内容を読み取る際、入力された当該暗号化を解除するためのデコードプログラムに基づいてこの暗号化を解除して読み取るよう前記読取部を制御することを特徴とする請求項１〜１１のうち何れか一項に記載の再生装置。
【請求項１３】
コンテンツデータを再生する再生装置を制御するコンピュータに、
入力された複数のコンテンツデータのデータ内容と、当該複数のコンテンツデータと共に入力され、自装置に対する機器設定が利用者識別情報に関連付けて記録された利用者機器設定情報の内容とを読み取る機能と、
予め入力された利用者識別情報に合致する利用者機器設定情報を前記読み取られた利用者機器設定情報の中から抽出し、当該抽出された利用者機器設定情報に記録された機器設定に基づいて自装置を動作するよう制御する機能と、
を実現させるための再生プログラム。
【請求項１４】
前記コンピュータに、
前記予め入力された利用者識別情報に合致する利用者機器設定情報が前記読み取られた利用者機器設定情報の中にない場合、自装置に対するデフォルトの機器設定に基づいて自装置を動作するよう制御する機能を更に実現させるための請求項１３に記載の再生プログラム。
【請求項１５】
前記コンピュータに、
前記予め入力された利用者識別情報に合致する利用者機器設定情報が前記読み取られた利用者機器設定情報の中にない場合、前記コンテンツデータの再生を行わない旨を報知するよう制御する機能を更に実現させるための請求項１３に記載の再生プログラム。
【請求項１６】
前記コンピュータに、
利用者を識別する利用者ＩＤを含む利用者識別情報に関連付けて記録された利用者機器設定情報の内容を読み取る機能と、
予め入力された前記利用者ＩＤを含む利用者識別情報に合致する利用者機器設定情報を、前記読み取られた利用者機器設定情報の中から抽出する機能と、
を更に実現させるための請求項１３〜１５のうち何れか一項に記載の再生プログラム。
【請求項１７】
前記コンピュータに、
パスワードを含む利用者識別情報に関連付けて記録された利用者機器設定情報の内容を読み取る機能と、
予め入力された前記パスワードを含む利用者識別情報に合致する利用者機器設定情報を、前記読み取られた利用者機器設定情報の中から抽出する機能と、
を更に実現させるための請求項１３〜１５のうち何れか一項に記載の再生プログラム。
【請求項１８】
前記コンピュータに、
利用者識別情報が記録された認証用記録媒体から該利用者識別情報を読み取る機能と、
前記認証用記録媒体から予め読み取られた利用者識別情報に合致する利用者機器設定情報を、前記読み取られた利用者機器設定情報の中から抽出する機能と、
を更に実現させるための請求項１３〜１５のうち何れか一項に記載の再生プログラム。
【請求項１９】
前記コンピュータに、
入力された複数のコンテンツデータのデータ内容と、当該複数のコンテンツデータと共に入力され、該コンテンツデータの再生動作に係る機器設定が利用者識別情報に関連付けて記録された利用者機器設定情報の内容とを読み取る機能と、
前記予め入力された利用者識別情報に合致する利用者機器設定情報を前記読み取られた利用者機器設定情報の中から抽出し、当該抽出された利用者機器設定情報に記録された機器設定に基づいて前記コンテンツデータの再生を行うよう制御する機能と、
を更に実現させるための請求項１３〜１８のうち何れか一項に記載の再生プログラム。
【請求項２０】
前記コンピュータに、
入力された複数のコンテンツデータのデータ内容と、当該複数のコンテンツデータと共に入力され、該コンテンツデータの再生順序に係る機器設定が利用者識別情報に関連付けて記録された利用者機器設定情報の内容とを読み取る機能と、
前記予め入力された利用者識別情報に合致する利用者機器設定情報を前記読み取られた利用者機器設定情報の中から抽出し、当該抽出された利用者機器設定情報に記録された再生順序に基づいて前記コンテンツデータの再生を行うよう制御する機能と、
を更に実現させるための請求項１３〜１８のうち何れか一項に記載の再生プログラム。
【請求項２１】
前記コンピュータに、
入力された複数のコンテンツデータのデータ内容と、当該複数のコンテンツデータと共に入力され、該コンテンツデータを表示するディスプレイの表示形式に係る機器設定が利用者識別情報に関連付けて記録された利用者機器設定情報の内容とを読み取る機能と、
前記予め入力された利用者識別情報に合致する利用者機器設定情報を前記読取部により読み取られた利用者機器設定情報の中から抽出し、当該抽出された利用者機器設定情報に記録された前記表示形式に基づいて前記ディスプレイ表示を制御する機能と、
を更に実現させるための請求項１３〜１８のうち何れか一項に記載の再生プログラム。
【請求項２２】
前記コンピュータに、
暗号化されたコンテンツデータ及び利用者機器設定情報の内容を読み取る際、入力された当該暗号化を解除するためのデコードプログラムに基づいてこの暗号化を解除して読み取るよう制御する機能を更に実現させるための請求項１３〜２１のうち何れか一項に記載の再生プログラム。
【発明の詳細な説明】
【０００１】
【発明の属する技術分野】
本発明は、ＤＶＤ等の記録媒体に記録されたコンテンツデータを再生する再生装置及び再生プログラムに関する。
【０００２】
【従来の技術】
近年、ＤＶＤやＣＤ等の大容量記録媒体に記録されたコンテンツデータの再生が可能なＡＶ機器（例えば、ＤＶＤプレーヤやカーナビゲーション等。）やパソコン等の再生装置が広く用いられている。ここで、コンテンツデータとは、例えば、静止画、動画、音声（音楽）等を表すデータやテキストデータ等を意味する。
【０００３】
ＤＶＤ等の記録媒体には大量のコンテンツデータが記録できるので、複数の利用者によって同一の記録媒体が共有可能となる。すなわち、各利用者は、各々大量のコンテンツデータを同一の記録媒体にまとめて記録できる。
【０００４】
一方、近年の再生装置は、利用者毎に異なった再生装置の動作を制御するための機器設定（例えば、ディスプレイの表示設定、音声（音楽）のイコライジング設定、コンテンツデータの再生順序の設定等の機器設定であり、以下、利用者機器設定と総称する。）が可能となっており、当該設定に基づいてＤＶＤやＣＤ等の記録媒体に記録されたコンテンツデータの再生が可能となっている（例えば、特許文献１、２及び３を参照。）。
【０００５】
例えば、特許文献１には、通信回線を介し、利用者認証後に各利用者のアクセスレベルに応じた表示の可否及び変更の可否を判断して表示する技術が開示され、特許文献２には、利用者認証後、過去の放送番組に基づいて番組情報を提供する技術が開示され、特許文献３には、利用者がオーディオ情報に関する事前の知識を必要とせずに、オーディオ情報を提供する対象のイメージや利用者の嗜好に適したオーディオ情報を提供する技術が開示されている。
【０００６】
【特許文献１】
特許第３３６１７４３号公報
【特許文献２】
特開２０００−２０１３０３号公報
【特許文献３】
特開２００３−０１５６６６号公報
【０００７】
【発明が解決しようとする課題】
しかし、上記従来の技術には、以下に示す問題点がある。
利用者毎に異なった上記利用者機器設定が行なえない、或いは、可能だが現在そのような利用者機器設定がなされていない再生装置においては、複数の利用者が共有する記録媒体に記録されたコンテンツデータを再生しようとしても、利用者が望むように再生されることがなく、再生の度、必要に応じて利用者が設定し直さなければならない。
【０００８】
本発明の課題は、ＤＶＤ等の記録媒体に記録されたコンテンツデータを、利用者毎に異なった設定に基づいて再生が可能な再生装置及び再生プログラムを提供することである。
【０００９】
【課題を解決するための手段】
上記課題を解決するため、請求項１記載の発明は、
コンテンツデータを再生する再生装置において、
入力された複数のコンテンツデータのデータ内容と、当該複数のコンテンツデータと共に入力され、自装置に対する機器設定が利用者識別情報に関連付けて記録された利用者機器設定情報の内容とを読み取る読取部と、
予め入力された利用者識別情報に合致する利用者機器設定情報を前記読取部により読み取られた利用者機器設定情報の中から抽出し、当該抽出された利用者機器設定情報に記録された機器設定に基づいて自装置を動作するよう制御する制御部と、
を備えたことを特徴とする。
【００１０】
更に、請求項２に記載の発明のように、請求項１に記載の発明において、
前記制御部は、
前記予め入力された利用者識別情報に合致する利用者機器設定情報が前記読取部により読み取られた利用者機器設定情報の中にない場合、自装置に対するデフォルトの機器設定に基づいて自装置を動作するよう制御するのが好ましい。
【００１１】
更に、請求項３に記載の発明のように、請求項１に記載の発明において、
前記制御部は、
前記予め入力された利用者識別情報に合致する利用者機器設定情報が前記読取部により読み取られた利用者機器設定情報の中にない場合、前記コンテンツデータの再生を行わない旨を報知するよう制御するのが好ましい。
【００１２】
更に、請求項４に記載の発明のように、請求項１〜３のうち何れか一項に記載の発明において、
前記読取部は、
利用者を識別する利用者ＩＤを含む利用者識別情報に関連付けて記録された利用者機器設定情報の内容を読み取り、
前記制御部は、
予め入力された前記利用者ＩＤを含む利用者識別情報に合致する利用者機器設定情報を、前記読取部により読み取られた利用者機器設定情報の中から抽出するのが好ましい。
【００１３】
更に、請求項５に記載の発明のように、請求項１〜３のうち何れか一項に記載の発明において、
前記読取部は、
パスワードを含む利用者識別情報に関連付けて記録された利用者機器設定情報の内容を読み取り、
前記制御部は、
予め入力された前記パスワードを含む利用者識別情報に合致する利用者機器設定情報を、前記読取部により読み取られた利用者機器設定情報の中から抽出するのが好ましい。
【００１４】
更に、請求項６に記載の発明のように、請求項１〜３のうち何れか一項に記載の発明において、
前記読取部は、
利用者識別情報が記録された認証用記録媒体から該利用者識別情報を読み取り、
前記制御部は、
前記認証用記録媒体から前記読取部により予め読み取られた利用者識別情報に合致する利用者機器設定情報を、前記読取部により読み取られた利用者機器設定情報の中から抽出するのが好ましい。
【００１５】
更に、請求項７に記載の発明のように、請求項１〜６のうち何れか一項に記載の発明において、
前記利用者識別情報を入力する入力部を備えるのが好ましい。
【００１６】
更に、請求項８に記載の発明のように、請求項１〜６のうち何れか一項に記載の発明において、
データを無線送信するリモコン装置から送信された該データを受信するリモコン受信部を備え、
前記制御部は、
前記リモコン装置から送信され前記リモコン受信部により予め受信された前記利用者識別情報に合致する利用者機器設定情報を、前記読取部により読み取られた利用者機器設定情報の中から抽出するのが好ましい。
【００１７】
更に、請求項９に記載の発明のように、請求項１〜８のうち何れか一項に記載の発明において、
前記読取部は、
入力された複数のコンテンツデータのデータ内容と、当該複数のコンテンツデータと共に入力され、該コンテンツデータの再生動作に係る機器設定が利用者識別情報に関連付けて記録された利用者機器設定情報の内容とを読み取り、
前記制御部は、
前記予め入力された利用者識別情報に合致する利用者機器設定情報を前記読取部により読み取られた利用者機器設定情報の中から抽出し、当該抽出された利用者機器設定情報に記録された機器設定に基づいて前記コンテンツデータの再生を行うよう制御するのが好ましい。
【００１８】
更に、請求項１０に記載の発明のように、請求項１〜８のうち何れか一項に記載の発明において、
前記読取部は、
入力された複数のコンテンツデータのデータ内容と、当該複数のコンテンツデータと共に入力され、該コンテンツデータの再生順序に係る機器設定が利用者識別情報に関連付けて記録された利用者機器設定情報の内容とを読み取り、
前記制御部は、
前記予め入力された利用者識別情報に合致する利用者機器設定情報を前記読取部により読み取られた利用者機器設定情報の中から抽出し、当該抽出された利用者機器設定情報に記録された再生順序に基づいて前記コンテンツデータの再生を行うよう制御するのが好ましい。
【００１９】
更に、請求項１１に記載の発明のように、請求項１〜８のうち何れか一項に記載の発明において、
データを表示するディスプレイを備え、
前記読取部は、
入力された複数のコンテンツデータのデータ内容と、当該複数のコンテンツデータと共に入力され、前記ディスプレイの表示形式に係る機器設定が利用者識別情報に関連付けて記録された利用者機器設定情報の内容とを読み取り、
前記制御部は、
前記予め入力された利用者識別情報に合致する利用者機器設定情報を前記読取部により読み取られた利用者機器設定情報の中から抽出し、当該抽出された利用者機器設定情報に記録された前記表示形式に基づいて前記ディスプレイ表示を制御するのが好ましい。
【００２０】
更に、請求項１２に記載の発明は、請求項１〜１１のうち何れか一項に記載の発明において、
前記制御部は、
暗号化されたコンテンツデータ及び利用者機器設定情報の内容を読み取る際、入力された当該暗号化を解除するためのデコードプログラムに基づいてこの暗号化を解除して読み取るよう前記読取部を制御するのが好ましい。
【００２１】
また、上記課題を解決するため、請求項１３に記載の発明は、
コンテンツデータを再生する再生装置を制御するコンピュータに、
入力された複数のコンテンツデータのデータ内容と、当該複数のコンテンツデータと共に入力され、自装置に対する機器設定が利用者識別情報に関連付けて記録された利用者機器設定情報の内容とを読み取る機能と、
予め入力された利用者識別情報に合致する利用者機器設定情報を前記読み取られた利用者機器設定情報の中から抽出し、当該抽出された利用者機器設定情報に記録された機器設定に基づいて自装置を動作するよう制御する機能と、
を実現させる。
【００２２】
更に、請求項１４に記載の発明のように、請求項１３に記載の発明において、
前記コンピュータに、
前記予め入力された利用者識別情報に合致する利用者機器設定情報が前記読み取られた利用者機器設定情報の中にない場合、自装置に対するデフォルトの機器設定に基づいて自装置を動作するよう制御する機能を更に実現させるのが好ましい。
【００２３】
更に、請求項１５に記載の発明のように、請求項１３に記載の発明において、
前記コンピュータに、
前記予め入力された利用者識別情報に合致する利用者機器設定情報が前記読み取られた利用者機器設定情報の中にない場合、前記コンテンツデータの再生を行わない旨を報知するよう制御する機能を更に実現させるのが好ましい。
【００２４】
更に、請求項１６に記載の発明のように、請求項１３〜１５のうち何れか一項に記載の発明において、
前記コンピュータに、
利用者を識別する利用者ＩＤを含む利用者識別情報に関連付けて記録された利用者機器設定情報の内容を読み取る機能と、
予め入力された前記利用者ＩＤを含む利用者識別情報に合致する利用者機器設定情報を、前記読み取られた利用者機器設定情報の中から抽出する機能と、
を更に実現させるのが好ましい。
【００２５】
更に、請求項１７に記載の発明のように、請求項１３〜１５のうち何れか一項に記載の発明において、
前記コンピュータに、
パスワードを含む利用者識別情報に関連付けて記録された利用者機器設定情報の内容を読み取る機能と、
予め入力された前記パスワードを含む利用者識別情報に合致する利用者機器設定情報を、前記読み取られた利用者機器設定情報の中から抽出する機能と、
を更に実現させるのが好ましい。
【００２６】
更に、請求項１８に記載の発明のように、請求項１３〜１５のうち何れか一項に記載の発明において、
前記コンピュータに、
利用者識別情報が記録された認証用記録媒体から該利用者識別情報を読み取る機能と、
前記認証用記録媒体から予め読み取られた利用者識別情報に合致する利用者機器設定情報を、前記読み取られた利用者機器設定情報の中から抽出する機能と、
を更に実現させるのが好ましい。
【００２７】
更に、請求項１９に記載の発明のように、請求項１３〜１８のうち何れか一項に記載の発明において、
前記コンピュータに、
入力された複数のコンテンツデータのデータ内容と、当該複数のコンテンツデータと共に入力され、該コンテンツデータの再生動作に係る機器設定が利用者識別情報に関連付けて記録された利用者機器設定情報の内容とを読み取る機能と、
前記予め入力された利用者識別情報に合致する利用者機器設定情報を前記読み取られた利用者機器設定情報の中から抽出し、当該抽出された利用者機器設定情報に記録された機器設定に基づいて前記コンテンツデータの再生を行うよう制御する機能と、
を更に実現させるのが好ましい。
【００２８】
更に、請求項２０に記載の発明のように、請求項１〜１８のうち何れか一項に記載の発明において、
前記コンピュータに、
入力された複数のコンテンツデータのデータ内容と、当該複数のコンテンツデータと共に入力され、該コンテンツデータの再生順序に係る機器設定が利用者識別情報に関連付けて記録された利用者機器設定情報の内容とを読み取る機能と、
前記予め入力された利用者識別情報に合致する利用者機器設定情報を前記読み取られた利用者機器設定情報の中から抽出し、当該抽出された利用者機器設定情報に記録された再生順序に基づいて前記コンテンツデータの再生を行うよう制御する機能と、
を更に実現させるのが好ましい。
【００２９】
更に、請求項２１に記載の発明のように、請求項１３〜１８のうち何れか一項に記載の発明において、
前記コンピュータに、
入力された複数のコンテンツデータのデータ内容と、当該複数のコンテンツデータと共に入力され、該コンテンツデータを表示するディスプレイの表示形式に係る機器設定が利用者識別情報に関連付けて記録された利用者機器設定情報の内容とを読み取る機能と、
前記予め入力された利用者識別情報に合致する利用者機器設定情報を前記読取部により読み取られた利用者機器設定情報の中から抽出し、当該抽出された利用者機器設定情報に記録された前記表示形式に基づいて前記ディスプレイ表示を制御する機能と、
を更に実現させるのが好ましい。
【００３０】
更に、請求項２２に記載の発明のように、請求項１３〜２１のうち何れか一項に記載の発明において、
前記コンピュータに、
暗号化されたコンテンツデータ及び利用者機器設定情報の内容を読み取る際、入力された当該暗号化を解除するためのデコードプログラムに基づいてこの暗号化を解除して読み取るよう制御する機能を更に実現させるのが好ましい。
【００３１】
従って、利用者及びコンテンツデータのカテゴリー毎に異なった利用者機器設定が行なえない、或いは、可能だが現在そのような利用者機器設定がなされていない再生装置であっても、利用者機器設定が記録された利用者機器設定情報が記録された記録媒体を再生すれば、利用者が再生の度に設定内容を変更する必要がなく、利用者が望むような利用者機器設定に基づいて再生できる。
すなわち、利用者毎に異なった利用者機器設定に基づいてコンテンツデータの再生が可能となる。
【００３２】
【発明の実施の形態】
＜第１の実施の形態＞
以下、本発明を適用した第１の実施の形態について、図１〜図１０を参照して詳細に説明する。
【００３３】
まず、図１、図２を参照して、本第１の実施の形態における再生装置１００の構成について説明する。図１は、再生装置１００の内部構成を示すブロック図であり、図２は、再生装置１００の操作面を示す図である。
【００３４】
図１に示すように、再生装置１００は、読取部１、デコーダ２、メモリ３、Ｄ／Ａコンバータ４、制御部５、メモリ６、入力部７、リモコン受信部８、入力コントローラ９、ディスプレイ１０、ディスプレイコントローラ１１等を備えて構成される。
【００３５】
読取部１は、図２に示す記録媒体挿入口に挿入された記録媒体Ａからデータの読み取りを行い、デコーダ２は、当該読み取られたデータのうち、符号化されたデータ（例えば、静止画、動画、音声（音楽）等のコンテンツデータ。）を復号化する。記録媒体Ａのディレクトリ構造については、後に詳述する（図３、図４参照。）。
【００３６】
メモリ３は、デコーダ２により復号化されたデータを一時的に格納し、Ｄ／Ａコンバータ４は、デコーダ２から外部機器に出力するデータをデジタル形式からアナログ形式に変換する。
【００３７】
制御部５は、メモリ６に格納された各種プログラムを実行して再生装置１００を統括的に制御する。
【００３８】
制御部５は、特に、メモリ６に格納された各種プログラムのうち、図７のフローチャートに示す再生処理を行うための再生プログラムを実行する。この再生処理については後に詳述する。
【００３９】
メモリ６は、制御部５によって実行される各種プログラムを格納すると共に、当該プログラム実行時に必要な各種データを格納する。
【００４０】
入力部７は、図２に示す再生装置１００の操作面に設けられ、図示しない各種入力キーやテンキー等を備える。これら各種入力キーやテンキーにより入力された入力信号は、入力コントローラ９を介して制御部５に送信される。
【００４１】
リモコン受信部８は、図２に示す再生装置１００の操作面に設けられ、図示しないリモコン装置から送信された入力信号（赤外線等。）を受信して電気信号に変換する。この電気信号に変換された入力信号は入力コントローラ９を介して制御部５に送信される。
【００４２】
入力コントローラ９は、入力部７、リモコン受信部８から入力された信号を制御部５が読み取り可能なデータに変換して制御部５に送信する。
【００４３】
ディスプレイ１０は、図２に示す再生装置１００の操作面に設けられ、例えば、ＬＣＤ（Ｌｉｑｕｉｄ  Ｃｒｙｓｔａｌ  Ｄｉｐｌａｙ）等を備えて構成される。ディスプレイ１０は、ディスプレイコントローラ１１を介して制御部５から送信された各種表示データを表示する。
【００４４】
ディスプレイコントローラ１１は、制御部５から送信された各種表示データをディスプレイ１０が表示可能な信号に変換する。また、ディスプレイコントローラ１１は、制御部５から送信された各種表示データの出力先を制御部５の制御に基づいてディスプレイ１０と外部ディスプレイ（図示略。）との間で振り分ける。
【００４５】
次に、図３、図４を参照して記録媒体Ａに形成されたディレクトリ構造について説明する。図３は、記録媒体Ａのディレクトリ構造の一例を示す図であり、図４（ａ）、図４（ｂ）は、ＰＬＡＹＭＥＮＵフォルダＡ５内に格納されるファイル内容の一例を示し、図４（ｃ）は、ＰＬＡＹＭＥＮＵフォルダＡ５内のディレクトリ及びファイル内容の一例を示す図である。ディレクトリ以下にデータが無い部分のディレクトリは、存在しなくても良い。また、ディレクトリ構成は、これに限定されない。
【００４６】
図３に示すように、記録媒体Ａには、静止画コンテンツデータ（例えば、Ａ００１．ＪＰＧ等。）を格納するＩＭＡＧＥフォルダＡ１と、動画コンテンツデータ（例えば、ＶＴＳ＿１．ＢＵＰ等。）を格納するＶＩＤＥＯ＿ＴＳフォルダＡ２と、音声（音楽）コンテンツデータ（例えば、ＳＯＵＮＤ１．ＭＰ３等。）を格納するＳＯＵＮＤフォルダＡ３と、各コンテンツデータ作成者の情報ファイル（コンテンツデータ作成者のプロファイル。）を格納するＡＵＴＨＯＲフォルダＡ４と、登録利用者の氏名、利用者ＩＤ、パスワード及び認証キー（以下、利用者識別情報と総称する。）等や、登録利用者及びコンテンツデータのカテゴリー（例えば、静止画、動画、音声（音楽）等の項目。）毎の利用者機器設定情報等の各種情報が記録された利用者機器設定情報ファイルを格納するＰＬＡＹＭＥＮＵフォルダＡ５とが同一ディレクトリに格納される。静止画コンテンツデータ、動画コンテンツデータ、音声（音楽）コンテンツデータは、再生装置がデコードできるファイル形式であれば、特に限定されない。
【００４７】
ＰＬＡＹＭＥＮＵフォルダＡ５には、図４（ａ）に示すように、ＵＳＥＲＬＩＳＴファイルＡ５１と、登録利用者毎に複数作成されたＸＭＬ利用者機器設定情報ファイルＡ５２（例えば、ＵＳＥＲ００１．ＸＭＬ等。）とが格納されている。
【００４８】
ＵＳＥＲＬＩＳＴファイルＡ５１は、登録利用者の個人情報が記録され、登録利用者毎に複数作成されたＸＭＬ利用者機器設定情報ファイルＡ５２の各々は、コンテンツデータのカテゴリー毎の利用者機器設定がＸＭＬ形式で記録されている。また、ＸＭＬ形式（タグ形式）でなく、別のテキスト形式等で記録が可能であるが、ＸＭＬ形式で記録することが好ましい。
【００４９】
なお、ＸＭＬ利用者機器設定情報ファイルＡ５２は、ＸＭＬ形式によるため、ファイル内容が第３者により容易に確認可能なので、ＸＭＬ利用者機器設定情報ファイルＡ５２に代えて、図４（ｂ）に示すようなバイナリ利用者機器設定情報ファイルＡ５３を用いるのがセキュリティを確保する上で好ましい。すなわち、バイナリ利用者機器設定情報ファイルＡ５３は、バイナリ形式であるため、第３者によるファイル内容の確認が困難となり、セキュリティの向上が図れる。
【００５０】
さらに、ＸＭＬ利用者機器設定情報ファイルＡ５２（或いは、バイナリ利用者機器設定情報ファイルＡ５３）は、登録利用者毎に作成されたものであるが、ＸＭＬ利用者機器設定情報ファイルＡ５２（或いは、バイナリ利用者機器設定情報ファイルＡ５３）に代えて、図４（ｃ）に示すような登録利用者毎の利用者フォルダＡ５４（例えば、ＵＳＥＲ００１フォルダ等。）を設け、各利用者フォルダＡ５４にＸＭＬ項目別利用者機器設定情報ファイルＡ５５を格納するようにしても良い。
【００５１】
ここで、ＸＭＬ項目別利用者機器設定情報ファイルＡ５５は、ＸＭＬ形式のファイルであり、音声（音楽）、静止画、動画等の項目（コンテンツデータのカテゴリ）別に利用者機器設定情報ファイルが各々独立に作成されていても良いし、音声（音楽）と静止画を混在させるように作成されていても良い。例えば、音声（音楽）コンテンツデータに対してはＳＯＵＮＤ０１．ＸＭＬ、静止画コンテンツデータに対してはＩＭＡＧＥ０１．ＸＭＬ、動画コンテンツデータに対してはＭＯＶ０１．ＸＭＬ、また音声（音楽）と静止画を混在させるような場合はＰＬＡＹＬＩＳＴ０１．ＸＭＬ、ＰＬＡＹＬＩＳＴ０２．ＸＭＬ等が上記ＸＭＬ項目別利用者機器設定情報ファイルＡ５５として作成されている。
なお、セキュリティ向上のためには、ＸＭＬ項目別利用者機器設定情報ファイルＡ５５をバイナリファイルとして作成するのが好ましい。
【００５２】
次に、ＸＭＬ利用者機器設定情報ファイルＡ５２の記載内容について詳細に説明する。図５に、ＸＭＬ利用者機器設定情報ファイルＡ５２に記載された音声（音楽）コンテンツデータに対する設定内容の一例を示し、図６に、ＸＭＬ利用者機器設定情報ファイルＡ５２に記載された静止画コンテンツデータに対する設定内容の一例を示す。
【００５３】
図５に示すように、＜？ｘｍｌ  ｖｅｒｓｉｏｎ＝“１．０”ｅｎｃｏｄｉｎｇ＝“Ｓｈｉｆｔ＿ＪＩＳ”？＞タグＢ１にはＸＭＬのバージョン及びエンコードに関する設定がなされ、＜ｐｌａｙｌｉｓｔ  ｖｅｒｓｉｏｎ＝“１．０”＞タグＢ２にはプレイリストのバージョンが設定されている。
【００５４】
＜ｕｓｅｒ＞タグＢ３には以下に示す利用者識別情報が設定されている。すなわち、＜ｆｉｒｓｔｎａｍｅ＞太郎＜／ｆｉｒｓｔｎａｍｅ＞、＜ｌａｓｔｎａｍｅ＞コニカ＜／ｌａｓｔｎａｍｅ＞タグＢ４には利用者の氏名（“コニカ太郎”）が設定され、＜ｐａｓｓｗｄ＞Ｅ７Ｎｃ＋ＢｋｚＪｆｇＴｓ７ＴｎＧＬ＜／ｐａｓｓｗｄ＞、＜ｋｅｙ＞ＱＣ５ＫＹＸＲＡＡＡＡｂＦ４ＩＡＡＤｗ＜／ｋｅｙ＞タグＢ５にはパスワード（“Ｅ７Ｎｃ＋ＢｋｚＪｆｇＴｓ７ＴｎＧＬ”）と認証キー（“ＱＣ５ＫＹＸＲＡＡＡＡｂＦ４ＩＡＡＤｗ”）とが設定されている。ここでの設定はテキスト形式でも良いが、暗号化されたものがセキュリティ上好ましい。また、上記利用者識別情報については、暗号化された別ファイルに記録されるのがセキュリティ上より好ましい。
以下、本実施例においては、図５、図６に示すように、上記利用者識別情報がＸＭＬ利用者機器設定情報ファイルＡ５２に記録されているものとして説明する。
【００５５】
＜ｂｏｄｙ＞タグＢ６には以下に示す再生時における機器設定がなされ、＜ｄｉｓｐｌａｙｓｅｔｔｉｎｇ＞タグＢ７には以下に示すディスプレイ１０（或いは、他のＡＶ機器やコンピュータ等。）における表示形式が設定されている。
【００５６】
＜ｓｋｉｎ  ｓｒｃ＝“ｃｌａｓｓｉｃ”／＞タグＢ８には表示内容全体のデザインが設定され、＜ｂｕｔｔｏｎ  ｓｒｃ＝“ｃｌａｓｓｉｃ０５”／＞タグＢ９には表示する入力ボタン（アイコン等。）のデザインが設定され、＜ｌａｙｏｕｔ  ｓｃｒ＝“ｌａｙｏｕｔ０９”／＞タグＢ１０には表示内容のレイアウトデザインが設定され、＜ｅｆｆｅｃｔ＞ｆｌａｓｈ＜／ｅｆｆｅｃｔ＞タグＢ１１にはレイアウトデザインが時系列或いは音声（音楽）再生等の条件により変化可能の場合、表示内容の変化パターンが設定され、＜ｌａｎｇｕａｇｅ１＞Ｊａｐａｎｅｓｅ＜／ｌａｎｇｕａｇｅ１＞タグＢ１２には表示言語が設定されている。
【００５７】
また、＜ｌａｎｇｕａｇｅ２＞ｋａｔａｋａｎａ＜／ｌａｎｇｕａｇｅ２＞タグＢ１３には上記“ｌａｎｇｕａｇｅ１”の言語について、更に細かな設定がなされ、例えば、日本語（“ｊａｐａｎｅｓｅ”）であれば、“ｋａｔａｋａｎａ”（カタカナ）、“ｈｉｒａｇａｎａ”（ひらがな）、“ｋａｎｊｉ”（漢字）等である。“ｋａｎｊｉ”が設定された場合は、通常の日本語表示（カタカナ、ひらがな、漢字の混在）となる。
【００５８】
＜ｓｅｑ＞タグＢ１４には以下に示す再生順序及び効果が設定されている。
【００５９】
＜ｐｌａｙ＞ＲＥＰＥＡＴ＜／ｐｌａｙ＞タグＢ１５には再生方法が設定されている。例えば、“ＲＥＰＥＡＴ”の場合、リスト全ての再生が終了したらリスト先頭から再生を繰り返す。また、“ＲＡＮＤＯＭ”の場合、再生指定順に関係なくアットランダムに再生する。“ＮＯＲＭＡＬ”の場合は、リスト最後の再生が終了したら、そのまま再生処理を終了する。
【００６０】
＜ｂｌｏｃｋ  ｓｅｑ＝“０１”＞タグＢ１６には“ｓｅｑ”に再生順序が設定されている。例えば、“ｓｅｑ＝”０１“は、最初（第１番目）の再生を意味する。
【００６１】
＜ｍｅｄｉａ  ｓｒｃ＝“ｔｒａｃｋ＿０５”／＞タグＢ１７には再生ソースが設定され、＜ｖｏｌ＞１０＜ｖｏｌ＞タグＢ１８には音量が設定され、＜ｅｆｆｅｃｔ  ｓｒｃ＝“Ｒｏｃｋ０２”／＞タグＢ１９には音声効果（イコライジング）が設定され、＜ｅｑ  ｓｒｃ＝“ｅｑ−ｒｏｃｋ−０１”／＞タグＢ２０には音声効果の細部設定がなされている。
【００６２】
また、図６に示すように、＜ｂｇｍ  ｓｒｃ＝“ｂｇｍ０５．ｍｐ３”／＞タグＢ２１には画像と同時再生する音声（音楽）、すなわちＢＧＭを指定する音声（音楽）コンテンツデータが設定され、＜ｍｅｄｉａ  ｓｒｃ＝“ｉｍａｇｅ０１．ｊｐｇ”／＞タグ２２には再生する静止画像ファイルが設定され、＜ｔｉｍｅ＞２＜／ｔｉｍｅ＞タグ２３には再生時間が設定されている。
【００６３】
なお、図６の図中符号Ｂ１〜Ｂ１６及びＢ１８〜Ｂ２０に示すタグは図５の同符号に示すタグと同一であり、簡略化のため、説明を省略する。
【００６４】
次に、図７を参照して再生装置１００の動作を説明する。図７は、再生装置１００による再生処理を説明するフローチャートである。
【００６５】
まず、利用者ＩＤ若しくは利用者ＩＤ及びパスワードが入力部７又はリモコン受信部８を介して入力され（ステップＳ１０）、更に、記録媒体Ａが読取部１にセットされると（ステップＳ１１）、制御部５は、当該入力された利用者ＩＤ若しくは利用者ＩＤ及びパスワードと記録媒体Ａに記録されたデータ（例えば、コンテンツデータ等。）とを読み取り、当該読み取った利用者ＩＤ若しくは利用者ＩＤ及びパスワードが記録媒体ＡのＰＬＡＹＭＥＮＵフォルダＡ５内のＸＭＬ利用者機器設定情報ファイルＡ５２（或いは、バイナリ利用者機器設定情報ファイルＡ５３）に記録されているか否かを判定する（ステップＳ１２）。
【００６６】
なお、ステップＳ１０、Ｓ１１の実行順は、上記したものに限らない。すなわち、ステップＳ１１、ステップＳ１０の順であっても良い。
【００６７】
ステップＳ１２において、上記入力された利用者ＩＤ若しくは利用者ＩＤ及びパスワードがＸＭＬ利用者機器設定情報ファイルＡ５２（或いは、バイナリ利用者機器設定情報ファイルＡ５３）に記録されている場合（ステップＳ１２；Ｙｅｓ）、制御部５は、当該ＸＭＬ利用者機器設定情報ファイルＡ５２に記録された利用者機器設定に基づいて再生処理を行う（ステップＳ１３）。
【００６８】
ステップＳ１２において、上記入力された利用者ＩＤ若しくは利用者ＩＤ及びパスワードがＸＭＬ利用者機器設定情報ファイルＡ５２（或いは、バイナリ利用者機器設定情報ファイルＡ５３）に記録されていない場合（ステップＳ１２；Ｎｏ）、制御部５は、メモリ６にデフォルトで予め格納された機器設定に基づいて再生処理を行う（ステップＳ１４）。
【００６９】
なお、制御部５は、ステップＳ１４の処理に代えて、図８のフローチャートにおけるステップＳ２４の処理を実行するようにしても良い。
【００７０】
ここで、図８のフローチャートにおけるステップＳ２０〜Ｓ２３の各処理は、図７のフローチャートにおけるステップＳ１０〜Ｓ１３の各処理と同じであり、簡略化のため、ステップＳ２０〜Ｓ２３についての説明を省略し、ステップＳ２４についてのみ説明する。
【００７１】
すなわち、ステップＳ２０の段階で入力された利用者識別情報がＸＭＬ利用者機器設定情報ファイルＡ５２（或いは、バイナリ利用者機器設定情報ファイルＡ５３）に記録されていない場合（ステップＳ２２；Ｎｏ）、制御部５は、ステップＳ２１の段階でセットされた記録媒体Ａのコンテンツデータが再生できない旨をディスプレイ１０に表示する（ステップＳ２４）。
【００７２】
以上説明したように、本第１の実施の形態の再生装置１００は、複数の登録利用者により共有されＸＭＬ利用者機器設定情報ファイルＡ５２が登録利用者毎に記録された記録媒体Ａからコンテンツデータを再生する場合、当該コンテンツデータを再生しようとする利用者により入力された利用者ＩＤ若しくは利用者ＩＤ及びパスワードが、記録媒体Ａ（すなわち、ＸＭＬ利用者機器設定情報ファイルＡ５２或いはバイナリ利用者機器設定情報ファイルＡ５３）に記録されているか否かを判定し、記録されている場合、当該登録利用者のＸＭＬ利用者機器設定情報ファイルＡ５２に記録された利用者機器設定に基づいて再生処理を行う。
【００７３】
従って、利用者及びコンテンツデータのカテゴリー毎に異なった利用者機器設定が行なえない、或いは、可能だが現在そのような利用者機器設定がなされていない再生装置１００であっても、利用者機器設定が記録されたＸＭＬ利用者機器設定情報ファイルＡ５２が記録された記録媒体Ａを再生すれば、再生の度、利用者が必要に応じて設定を変更し直す必要がなく、利用者が望むような利用者機器設定に基づいて再生できる。
【００７４】
すなわち、利用者毎に異なる利用者機器設定に基づいてコンテンツデータの再生が可能となる。
【００７５】
なお、本第１の実施の形態における記述は、本発明に係る再生装置及び再生プログラムの一例を示すものであり、これに限定されるものではない。本実施の形態における再生装置１００の細部構成及び詳細動作に関しては、本発明の趣旨を逸脱しない範囲で適宜変更可能である。
【００７６】
例えば、再生装置１００は、ＤＶＤプレーヤ等のＡＶ機器が具備するものであっても良いし、また、パソコンが具備するものであっても良い。
【００７７】
＜第２の実施の形態＞
次に、図９〜図１２を参照して、本発明を適用した第２の実施の形態について説明する。
【００７８】
まず、図９、図１０を参照して、本第２の実施の形態における再生装置１００ａの構成について説明する。図９は、再生装置１００ａの内部構成を示すブロック図であり、図１０は、再生装置１００ａの操作面を示す図である。
【００７９】
図９に示す再生装置１００ａの各構成部のうち、図２に示す再生装置１００の構成部と同一のものについては、簡略化のため、同一符号を付して説明を省略し、メモリ６ａ及び読取部１２についてのみ詳細に説明する。
【００８０】
メモリ６ａは、図１１のフローチャートに示す再生処理を行うための再生プログラムを格納する。制御部５は、メモリ６ａに格納されたこの再生プログラムを実行して再生処理を行う。
【００８１】
読取部１２は、図１０に示す操作面に設けられた認証用記録媒体挿入口を介して装着された認証用記録媒体Ｃから利用者識別情報を読み取り、入力コントローラ９を介して制御部５に送信する。この場合、入力コントローラ９は、読取部１２から入力された利用者識別情報を制御部５が読み取り可能なデータに変換する。
【００８２】
ここで、認証用記録媒体Ｃには、例えば、図５の図中符号Ｂ５に示す認証キーが記録されている。この認証キーは、登録利用者の利用者ＩＤ及びパスワードとは異なるものであるのがセキュリティ上好ましい。
【００８３】
認証用記録媒体Ｃは、認証キーが記録された書き込み／読み出し可能な磁気カード、メモリカード、ＵＳＢメモリ等である。
【００８４】
次に、図１１を参照して再生装置１００ａの動作を説明する。図１１は、再生装置１００ａによる再生処理を説明するフローチャートである。
【００８５】
まず、利用者ＩＤ若しくは利用者ＩＤ及びパスワードが入力部７又はリモコン受信部８を介して入力され（ステップＳ３０）、認証用記録媒体Ｃが読取部１２にセットされ（ステップＳ３１）、更に、記録媒体Ａが読取部１にセットされると（ステップＳ３２）、制御部５は、当該入力された利用者ＩＤ若しくは利用者ＩＤ及びパスワードと、認証用記録媒体Ｃに記録された認証キーと、記録媒体Ａに記録されたデータ（コンテンツデータ等。）とを読み取り、当該読み取った認証キー、利用者ＩＤ若しくは利用者ＩＤ及びパスワードが記録媒体ＡのＰＬＡＹＭＥＮＵフォルダＡ５内のＸＭＬ利用者機器設定情報ファイルＡ５２（或いは、バイナリ利用者機器設定情報ファイルＡ５３）に記録されているか否かを判定する（ステップＳ３３）。
【００８６】
なお、ステップＳ３０〜Ｓ３２の実行順は、上記したものに限らない。例えば、ステップＳ３１、ステップＳ３２、ステップＳ３０の順であっても良いし、ステップＳ３２、ステップＳ３０、ステップＳ３１の順であっても良い。
【００８７】
ステップＳ３３において、ステップＳ３０の段階で入力された利用者ＩＤ若しくは利用者ＩＤ及びパスワードと、ステップＳ３１の段階で読取部１２にセットされた認証用記録媒体Ｃから読み出された認証キーとが記録媒体ＡのＰＬＡＹＭＥＮＵフォルダＡ５内のＸＭＬ利用者機器設定情報ファイルＡ５２（或いは、バイナリ利用者機器設定情報ファイルＡ５３）に記録されている場合（ステップＳ３３；Ｙｅｓ）、制御部５は、当該ＸＭＬ利用者機器設定情報ファイルＡ５２に記録された利用者機器設定に基づいて再生処理を行う（ステップＳ３４）。
【００８８】
ステップＳ３３において、ステップＳ３０の段階で入力された利用者ＩＤ若しくは利用者ＩＤ及びパスワードと、ステップＳ３１の段階で読取部１２にセットされた認証用記録媒体Ｃから読み出された認証キーとが記録媒体ＡのＰＬＡＹＭＥＮＵフォルダＡ５内のＸＭＬ利用者機器設定情報ファイルＡ５２（或いは、バイナリ利用者機器設定情報ファイルＡ５３）に記録されていない場合（ステップＳ３３；Ｎｏ）、制御部５は、ＸＭＬ利用者機器設定情報ファイルＡ５２の代わりにメモリ６ａに予めデフォルトで格納された機器設定に基づいて再生処理を行う（ステップＳ３５）。
【００８９】
なお、制御部５は、ステップＳ３５の処理に代えて、図１２のフローチャートの示すステップＳ４５の処理を実行するようにしても良い。
【００９０】
ここで、図１２のフローチャートにおけるステップＳ４０〜Ｓ４４の各処理は、図１１のフローチャートにおけるステップＳ３０〜Ｓ３４の各処理と同じであり、簡略化のため、ステップＳ４０〜Ｓ４４についての説明を省略し、ステップＳ４５についてのみ説明する。
【００９１】
すなわち、ステップＳ４０の段階で入力された利用者ＩＤ若しくは利用者ＩＤ及びパスワードと、ステップＳ４１の段階で読取部１２にセットされた認証用記録媒体Ｃから読み出された認証キーとが記録媒体ＡのＰＬＡＹＭＥＮＵフォルダＡ５内のＸＭＬ利用者機器設定情報ファイルＡ５２（或いは、バイナリ利用者機器設定情報ファイルＡ５３）に記録されていない場合（ステップＳ４３；Ｎｏ）、制御部５は、ステップＳ４２の段階でセットされた記録媒体Ａのコンテンツデータが再生できない旨をディスプレイ１０に表示する（ステップＳ４５）。
【００９２】
なお、上記第２の実施の形態においては、ステップＳ４０及びＳ４１を共に実行するとしたが、これに限らず、ステップＳ４０を実行せず、ステップＳ４１だけを実行するようにしても良い。この場合、利用者ＩＤ若しくは利用者ＩＤ及びパスワードによる認証を行う代わりに認証用記録媒体Ｃのみから取得される認証キーのみから利用者の認証が可能となるので、入力部７又はリモコン受信部８を介した利用者ＩＤ若しくは利用者ＩＤ及びパスワードの入力が省略できる。
【００９３】
以上説明したように、本第２の実施の形態の再生装置１００ａは、複数の登録利用者によって共有され登録利用者毎にＸＭＬ利用者機器設定情報ファイルＡ５２が記録された記録媒体Ａからコンテンツデータを再生する場合、当該コンテンツデータを再生しようとする利用者の認証キー、利用者ＩＤ若しくは利用者ＩＤ及びパスワードが、記録媒体Ａに記録されているか否かを判定し、記録されている場合、当該登録利用者のＸＭＬ利用者機器設定情報ファイルＡ５２に記録された利用者機器設定に基づいて再生処理を行う。利用者ＩＤ若しくは利用者ＩＤ及びパスワードは入力部７又はリモコン受信部８を介して入力され、認証キーは読取部１２を介して認証用記録媒体Ｃから読み出される。
【００９４】
従って、入力部７又はリモコン受信部８を介して入力される認証キー、利用者ＩＤ若しくは利用者ＩＤ及びパスワードに基づいて利用者の認証が行われるので、より確実な認証が実施可能となり、セキュリティの向上が図られる。また、読取部１２を介して認証用記録媒体Ｃから読み出された認証キーのみを用いて利用者の認証が行われるので、入力部７やリモコンに利用者ＩＤ若しくは利用者ＩＤ及びパスワードをその都度入力する必要がなく、便利である。
【００９５】
なお、本第２の実施の形態における記述は、本発明に係る再生装置の一例を示すものであり、これに限定されるものではない。本実施の形態における再生装置１００ａの細部構成及び詳細動作に関しては、本発明の趣旨を逸脱しない範囲で適宜変更可能である。
【００９６】
例えば、再生装置１００ａは、ＤＶＤプレーヤ等のＡＶ機器が具備するものであっても良いし、また、パソコンが具備するものであっても良い。
【００９７】
以上、第１〜第２の実施例では、再生装置１００、１００ａにおける再生処理に係る機器設定が利用者機器設定情報に記録されているとしたが、これに限らず、再生装置１００、１００ａの各種動作（例えば、ディスプレイ１０における表示形式等。）を制御するための機器設定が記録されるようにしても良い。
【００９８】
また、記録媒体Ａには各種データが暗号化されて記録されていても良い。このような場合、読取部１は、当該暗号化を解除するための情報（デコードプログラム）が入力されるのを待ち、当該入力されたデコードプログラムに基づいて記録媒体Ａから各種データの暗号化を解除して当該データを読み取る。
【００９９】
【発明の効果】
本発明によれば、利用者及びコンテンツデータのカテゴリー毎に異なった利用者機器設定が行なえない、或いは、可能だが現在そのような利用者機器設定がなされていない再生装置であっても、利用者機器設定が記録された利用者機器設定情報が記録された記録媒体を再生すれば、利用者が再生の度に設定内容を変更する必要がなく、利用者が望むような利用者機器設定に基づいて再生できる。
すなわち、利用者毎に異なった利用者機器設定に基づいてコンテンツデータの再生が可能となる。
【図面の簡単な説明】
【図１】本発明を適用した再生装置の内部構成を示すブロック図。
【図２】本発明を適用した再生装置の操作面を示す図である。
【図３】記録媒体のディレクトリ構造の一例を示す図である。
【図４】（ａ）、（ｂ）は、図３に示すＰＬＡＹＭＥＮＵフォルダ内に格納されるファイル内容を例示したものであり、（ｃ）は、図３に示すＰＬＡＹＭＥＮＵフォルダ内のディレクトリ及びファイル内容を例示したものである。
【図５】ＸＭＬ利用者機器設定情報ファイルに記載された音声（音楽）コンテンツデータに対する設定内容の一例を示す図である。
【図６】ＸＭＬ利用者機器設定情報ファイルに記載された静止画コンテンツデータに対する設定内容の一例を示す図である。
【図７】本発明を適用した再生装置による再生処理を説明するフローチャートである。
【図８】本発明を適用した再生装置による他の再生処理を説明するフローチャートである。
【図９】本発明を適用した他の再生装置の内部構成を示すブロック図である。
【図１０】本発明を適用した他の再生装置の操作面を示す図である。
【図１１】本発明を適用した他の再生装置による再生処理を説明するフローチャートである。
【図１２】本発明を適用した他の再生装置による他の再生処理を説明するフローチャートである。
【符号の説明】
１、１２  読取部
２  デコーダ
３、６、６ａ  メモリ
４  Ｄ／Ａコンバータ
５  制御部
７  入力部
８  リモコン受信部
９  入力コントローラ
１０  ディスプレイ
１１  ディスプレイコントローラ
１００、１００ａ  再生装置
Ａ  記録媒体
Ｃ  認証用記録媒体
【図１】
2004265470.tif 000003
【図２】
2004265470.tif 000004
【図３】
2004265470.tif 000005
【図４】
2004265470.tif 000006
【図５】
2004265470.tif 000007
【図６】
2004265470.tif 000008
【図７】
2004265470.tif 000009
【図８】
2004265470.tif 000010
【図９】
2004265470.tif 000011
【図１０】
2004265470.tif 000012
【図１１】
2004265470.tif 000013
【図１２】
2004265470.tif 000014